(57)【要約】  本発明は、コネクタアセンブリ及びそのプラグコネクタ、コアユニットに係る。先端をプラグ端とするコアユニットは、前後方向に案内装着されるフロントケースとリアケースとを含む。リアケースには、光ケーブルが挿通される挿通構造が設けられている。フロントケースの先端には、プラグ単体が設けられている。フロントケースとリアケースとの間には、両者の前後方向の離間限位置を規制するためのストッパ構造が設けられている。プラグ単体の挿着後に防護ケースとレセプタクルケースとの嵌合を継続して操作する際に、防護ケースの押圧によってリアケースが前方に一定の遊動空間を有することを確保し、レセプタクルケース内の取付公差の違いを満足することができ、構造が比較的簡単で、プラグ単体が強く押圧されて破損することが避けられる。【選択図】図１
2020531919.tif 000002
【特許請求の範囲】
【請求項１】
先端をプラグ端とするコアユニットにおいて、
前後方向に案内装着されるフロントケースとリアケースとを含み、
リアケースには、光ケーブルが挿通される挿通構造が設けられ、
フロントケースの先端には、プラグ単体が設けられ、
フロントケースとリアケースとの間には、両者の前後方向の離間限位置を規制するためのストッパ構造が設けられている、
ことを特徴とする先端をプラグ端とするコアユニット。
【請求項２】
前記リアケースとフロントケースとの間及び／又はリアケースとプラグ単体との間にバネが押圧されて設けられている、
ことを特徴とする請求項１に記載のコアユニット。
【請求項３】
前記挿通構造は、リアケースに設けられた挿通孔である、
ことを特徴とする請求項２に記載のコアユニット。
【請求項４】
前記リアケースは、フロントケースに案内挿通され、
前記ストッパ構造は、フロントケースの内側壁に設けられた内フランジと、リアケースの外周面に設けられ、内フランジと前後方向に係止する外ボスと、を含む、
ことを特徴とする請求項１〜３のいずれか１項に記載のコアユニット。
【請求項５】
前記フロントケースは、上下両部分が互いに係合して形成され、又は一体構造で合体されて形成されている、
ことを特徴とする請求項４に記載のコアユニット。
【請求項６】
前記フロントケースは、下側の支持台と上側のカバープレートとを含み、
前記支持台には、バネが挿通される挿通溝が設けられている、
ことを特徴とする請求項５に記載のコアユニット。
【請求項７】
前記リアケースとフロントケースとの案内合わせ面は、円弧面であり、
前記リアケースは、フロントケース内で周方向に遊動可能である、
ことを特徴とする請求項６に記載のコアユニット。
【請求項８】
前記リアケースには、カバープレートを逃がすための逃がし面が設けられ、
カバープレートの下板面と逃がし面との間に遊動隙間を有する、
ことを特徴とする請求項７に記載のコアユニット。
【請求項９】
前記カバープレートには、プラグ単体のロック片を下方に押圧してプラグ単体のロック解除を行うロック解除片が設けられている、
ことを特徴とする請求項７に記載のコアユニット。
【請求項１０】
前記プラグ単体は、２個以上あり、
前記バネの内部は、各プラグ単体のコアを共通に通す挿通路を構成している、
ことを特徴とする請求項２〜３、５〜９のいずれか１項に記載のコアユニット。
【請求項１１】
前記プラグ単体は、ＬＣプラグ、ＳＣプラグ又はＭＴＰプラグ又は光プラグモジュールである、
ことを特徴とする請求項１〜３、５〜９のいずれか１項に記載のコアユニット。
【請求項１２】
フロントケース、リアケースは、回り止めして装着されている、
ことを特徴とする請求項１〜３、５〜９のいずれか１項に記載のコアユニット。
【請求項１３】
フロントケース、リアケースは、両者にそれぞれ設けられた前後に延びるキーとキー溝との案内係合により回り止め装着されている、
ことを特徴とする請求項１２に記載のコアユニット。
【請求項１４】
先端をプラグ端とするコアユニットと、コアユニットの外部を覆う防護ケースと、を含むプラグコネクタにおいて、
コアユニットは、前後方向に案内装着されるフロントケースとリアケースとを含み、
リアケースには、光ケーブルが挿通される挿通構造が設けられ、
前記リアケースは、防護ケースを後ろ止まりし、
フロントケースの先端には、プラグ単体が設けられ、
フロントケースとリアケースとの間には、両者の前後方向の離間限位置を規制するためのストッパ構造が設けられている、
ことを特徴とするプラグコネクタ。
【請求項１５】
前記リアケースとフロントケースとの間及び／又はリアケースとプラグ単体との間にバネが押圧されて設けられている、
ことを特徴とする請求項１４に記載のプラグコネクタ。
【請求項１６】
前記挿通構造は、リアケースに設けられた挿通孔である、
ことを特徴とする請求項１５に記載のプラグコネクタ。
【請求項１７】
前記リアケースは、フロントケースに案内挿通され、
前記ストッパ構造は、フロントケースの内側壁に設けられた内フランジと、リアケースの外周面に設けられ、内フランジと前後方向に係止する外ボスと、を含む、
ことを特徴とする請求項１４〜１６のいずれか１項に記載のプラグコネクタ。
【請求項１８】
前記フロントケースは、上下両部分が互いに係合して形成され、又は一体構造で合体されて形成されている、
ことを特徴とする請求項１７に記載のプラグコネクタ。
【請求項１９】
前記フロントケースは、下側の支持台と上側のカバープレートとを含み、
前記支持台には、バネが挿通される挿通溝が設けられている、
ことを特徴とする請求項１８に記載のプラグコネクタ。
【請求項２０】
前記リアケースとフロントケースとの案内合わせ面は、円弧面であり、
前記リアケースは、フロントケース内で周方向に遊動可能である、
ことを特徴とする請求項１９に記載のプラグコネクタ。
【請求項２１】
前記リアケースには、カバープレートを逃がすための逃がし面が設けられ、
カバープレートの下板面と逃がし面との間に遊動隙間を有する、
ことを特徴とする請求項２０に記載のプラグコネクタ。
【請求項２２】
前記カバープレートには、プラグ単体のロック片を下方に押圧してプラグ単体のロック解除を行うロック解除片が設けられている、
ことを特徴とする請求項２０に記載のプラグコネクタ。
【請求項２３】
前記プラグ単体は、２個以上あり、
前記バネの内部は、各プラグ単体のコアを共通に通す挿通路を構成している、
ことを特徴とする請求項１５〜１６、１８〜２２のいずれか１項に記載のプラグコネクタ。
【請求項２４】
前記プラグ単体は、ＬＣプラグ、ＳＣプラグ又はＭＴＰプラグ又は光プラグモジュールである、
ことを特徴とする請求項１４〜１６、１８〜２２のいずれか１項に記載のプラグコネクタ。
【請求項２５】
フロントケース、リアケースは、回り止めして装着されている、
ことを特徴とする請求項１４〜１６、１８〜２２のいずれか１項に記載のプラグコネクタ。
【請求項２６】
フロントケース、リアケースは、両者にそれぞれ設けられた前後に延びるキーとキー溝との案内係合により回り止め装着されている、
ことを特徴とする請求項２５に記載のプラグコネクタ。
【請求項２７】
先端をプラグ端とするコアユニットとコアユニットの外部を覆う防護ケースとを含むプラグコネクタと、
レセプタクルコネクタと、を含むコネクタアセンブリにおいて、
コアユニットは、前後方向に案内装着されるフロントケースとリアケースとを含み、
リアケースには、光ケーブルが挿通される挿通構造が設けられ、
前記リアケースは、防護ケースを後ろ止まりし、
フロントケースの先端には、プラグ単体が設けられ、
フロントケースとリアケースとの間には、両者の前後方向の離間限位置を規制するためのストッパ構造が設けられている、
ことを特徴とするコネクタアセンブリ。
【請求項２８】
前記リアケースとフロントケースとの間及び／又はリアケースとプラグ単体との間にバネが押圧されて設けられている、
ことを特徴とする請求項２７に記載のコネクタアセンブリ。
【請求項２９】
前記挿通構造は、リアケースに設けられた挿通孔である、
ことを特徴とする請求項２８に記載のコネクタアセンブリ。
【請求項３０】
前記リアケースは、フロントケースに案内挿通され、
前記ストッパ構造は、フロントケースの内側壁に設けられた内フランジと、リアケースの外周面に設けられ、内フランジと前後方向に係止する外ボスと、を含む、
ことを特徴とする請求項２７〜２９のいずれか１項に記載のコネクタアセンブリ。
【請求項３１】
前記フロントケースは、上下両部分が互いに係合して形成され、又は一体構造で合体されて形成されている、
ことを特徴とする請求項３０に記載のコネクタアセンブリ。
【請求項３２】
前記フロントケースは、下側の支持台と上側のカバープレートとを含み、
前記支持台には、バネが挿通される挿通溝が設けられている、
ことを特徴とする請求項３１に記載のコネクタアセンブリ。
【請求項３３】
前記リアケースとフロントケースとの案内合わせ面は、円弧面であり、
前記リアケースは、フロントケース内で周方向に遊動可能である、
ことを特徴とする請求項３２に記載のコネクタアセンブリ。
【請求項３４】
前記リアケースには、カバープレートを逃がすための逃がし面が設けられ、
カバープレートの下板面と逃がし面との間に遊動隙間を有する、
ことを特徴とする請求項３３に記載のコネクタアセンブリ。
【請求項３５】
前記カバープレートには、プラグ単体のロック片を下方に押圧してプラグ単体のロック解除を行うロック解除片が設けられている、
ことを特徴とする請求項３３に記載のコネクタアセンブリ。
【請求項３６】
前記プラグ単体は、２個以上あり、
前記バネの内部は、各プラグ単体のコアを共通に通す挿通路を構成している、
ことを特徴とする請求項２８〜２９、３１〜３５のいずれか１項に記載のコネクタアセンブリ。
【請求項３７】
前記プラグ単体は、ＬＣプラグ、ＳＣプラグ又はＭＴＰプラグ又は光プラグモジュールである、
ことを特徴とする請求項２７〜２９、３１〜３５のいずれか１項に記載のコネクタアセンブリ。
【請求項３８】
フロントケース、リアケースは、回り止めして装着されている、
ことを特徴とする請求項２７〜２９、３１〜３５のいずれか１項に記載のコネクタアセンブリ。
【請求項３９】
フロントケース、リアケースは、両者にそれぞれ設けられた前後に延びるキーとキー溝との案内係合により回り止め装着されている、
ことを特徴とする請求項３８に記載のコネクタアセンブリ。
【発明の詳細な説明】
【技術分野】
【０００１】
本発明は、コネクタアセンブリ、そのプラグコネクタ及びコアユニットに関する。
【背景技術】
【０００２】
従来技術において、プラグコネクタは、コアユニットを含む。コアユニットは、プラグケースを含む。プラグケースの内部には、プラグ単体が設けられている。プラグ単体の後側に光ファイバが挿通されている。光ファイバは、プラグコネクタ内でプラグ単体のコンタクトに接続される。プラグコネクタ内のコンタクトを対応するレセプタクルコネクタに安定して接続させるには、コンタクトをプラグ単体内に遊動装着することが一般的である。具体的には、プラグをレセプタクルに差し込む際に、コンタクトの遊動装着によって差し込み孔と差し込みピンとの装着公差を満たすように、コンタクトを前方に付勢するバネをプラグ単体内に設ける。
【０００３】
しかしながら、従来の技術では、プラグコネクタをレセプタクルコネクタに差し込んだ後にプラグコネクタをレセプタクルコネクタにロックすることが一般的に必要であり、レセプタクルコネクタのケースにネジを設け、コアユニット外部に防護ケースを覆い、防護ケースとレセプタクルケースとの螺合によってレセプタクルコネクタ内にプラグ単体を固定させる。レセプタクルコネクタの位置によっては、ねじ寸法が前後方向に若干バラつきを有する。すなわちプラグコネクタをレセプタクルコネクタに固定した時点では、プラグ単体は、レセプタクルコネクタ内で既に挿着位置に達しているが、ねじの寸法の違いにより、レセプタクルケースとプラグコネクタ上の防護ケースとが未だロックされていない。さらに防護ケースを前方にねじると、プラグ単体とレセプタクルコネクタとの間に強い押圧力が発生し、プラグ単体が強く押圧されて破損するおそれがある。
【発明の概要】
【発明が解決しようとする課題】
【０００４】
本発明は、プラグ単体が強く圧潰されることを回避するコネクタアセンブリを提供することを目的とする。本発明は、また、当該コネクタアセンブリのプラグコネクタを提供することを目的とする。また、本発明は、当該プラグコネクタのコアユニットを提供することを目的とする。
【課題を解決するための手段】
【０００５】
上記目的を実現するために、本発明のコアユニットは、以下の技術手段を採用する。先端をプラグ端とするコアユニットにおいて、前後方向に案内装着されるフロントケースとリアケースとを含む。リアケースには、光ケーブルが挿通される挿通構造が設けられている。フロントケースの先端には、プラグ単体が設けられている。フロントケースとリアケースとの間には、両者の前後方向の離間限位置を規制するためのストッパ構造が設けられている。
【０００６】
前記リアケースとフロントケースとの間及び／又はリアケースとプラグ単体との間にバネが押圧されて設けられている。リアケースとフロントケースとの間で弾性支持が実現される。
【０００７】
前記挿通構造は、リアケースに設けられた挿通孔である。ケーブルの防護作用を奏する。
【０００８】
前記リアケースは、フロントケースに案内挿通される。前記ストッパ構造は、フロントケースの内側壁に設けられた内フランジと、リアケースの外周面に設けられ、内フランジと前後方向に係止する外ボスと、を含む。両者の案内装着を保証すると同時に、リアケースとフロントケースとの離脱を防止する。
【０００９】
前記フロントケースは、上下両部分が互いに係合して形成され、又は一体構造で合体されて形成されている。バネ、プラグ単体及びリアケースの装着が容易となる。
【００１０】
前記フロントケースは、下側の支持台と上側のカバープレートとを含む。前記支持台には、バネが挿通される挿通溝が設けられている。構造が簡単であり、装着が容易となる。
【００１１】
前記リアケースとフロントケースとの案内合わせ面は、円弧面である。前記リアケースは、フロントケース内で周方向に遊動可能である。フロントケースに対してリアケースを周方向に遊動させることができ、プラグとレセプタクルとの差し込み過程において、プラグとレセプタクルとのロック時に光ケーブルを小幅でに回動させることができ、プラグコネクタの取付条件を満たすことができる。
【００１２】
前記リアケースには、カバープレートを逃がすための逃がし面が設けられている。カバープレートの下板面と逃がし面との間に遊動隙間を有する。フロントケースに対するリアケースの周方向の遊動を確保しつつ、リアケースの遊動の幅をカバープレートの下板面で規制して、光コアが過度に捩れて内部光路が破壊されることを防止できる。
【００１３】
前記カバープレートには、プラグ単体のロック片を下方に押圧してプラグ単体のロック解除を行うロック解除片が設けられている。ロック解除が容易であり、構造が簡単である。
【００１４】
前記プラグ単体は、２個以上ある。前記バネの内部は、各プラグ単体のコアを共通に通す挿通路を構成している。全体の安定性が優れ、構造がよりコンパクトである。
【００１５】
前記プラグ単体は、ＬＣプラグ、ＳＣプラグ又はＭＴＰプラグ又は光プラグモジュールである。汎用性が増す。
【００１６】
フロントケース、リアケースは、回り止めして装着されている。ケーブルの捩れ防止が保証される。
【００１７】
フロントケース、リアケースは、両者にそれぞれ設けられた前後に延びるキーとキー溝との案内係合により回り止め装着されている。構造が簡単であり、加工や装着が容易となる。
【００１８】
本発明のプラグコネクタは、以下の技術手段を採用する。先端をプラグ端とするコアユニットと、コアユニットの外部を覆う防護ケースと、を含むプラグコネクタにおいて、コアユニットは、前後方向に案内装着されるフロントケースとリアケースとを含み、リアケースには、光ケーブルが挿通される挿通構造が設けられ、前記リアケースは、防護ケースを後ろ止まりし、フロントケースの先端には、プラグ単体が設けられ、フロントケースとリアケースとの間には、両者の前後方向の離間限位置を規制するためのストッパ構造が設けられている。
【００１９】
前記リアケースとフロントケースとの間及び／又はリアケースとプラグ単体との間にバネが押圧されて設けられている。リアケースとフロントケースとの間で弾性支持が実現される。
【００２０】
前記挿通構造は、リアケースに設けられた挿通孔である。ケーブルの防護作用を奏する。
【００２１】
前記リアケースは、フロントケースに案内挿通される。前記ストッパ構造は、フロントケースの内側壁に設けられた内フランジと、リアケースの外周面に設けられ、内フランジと前後方向に係止する外ボスと、を含む。両者の案内装着を保証すると同時に、リアケースとフロントケースの離脱を防止する。
【００２２】
前記フロントケースは、上下両部分が互いに係合して形成され、又は一体構造で合体されて形成されている。バネ、プラグ単体及びリアケースの装着が容易となる。
【００２３】
前記フロントケースは、下側の支持台と上側のカバープレートとを含む。前記支持台には、バネが挿通される挿通溝が設けられている。構造が簡単であり、装着が容易となる。
【００２４】
前記リアケースとフロントケースとの案内合わせ面は、円弧面である。前記リアケースは、フロントケース内で周方向に遊動可能である。フロントケースに対してリアケースを周方向に遊動させることができ、プラグとレセプタクルとの差し込み過程において、プラグとレセプタクルとのロック時に光ケーブルを小幅で回動させることができ、プラグコネクタの取付条件を満たすことができる。
【００２５】
前記リアケースには、カバープレートを逃がすための逃がし面が設けられている。カバープレートの下板面と逃がし面との間に遊動隙間を有する。フロントケースに対するリアケースの周方向の遊動を確保しつつ、リアケースの遊動の幅をカバープレートの下板面で規制して、光コアが過度に捩れて内部光路が破壊されることを防止できる。
【００２６】
前記カバープレートには、プラグ単体のロック片を下方に押圧してプラグ単体のロック解除を行うロック解除片が設けられている。ロック解除が容易であり、構造が簡単である。
【００２７】
前記プラグ単体は、２個以上ある。前記バネの内部は、各プラグ単体のコアを共通に通す挿通路を構成している。全体の安定性が優れ、構造がよりコンパクトである。
【００２８】
前記プラグ単体は、ＬＣプラグ、ＳＣプラグ又はＭＴＰプラグ又は光プラグモジュールである。汎用性が増す。
【００２９】
フロントケース、リアケースは、回り止めして装着されている。ケーブルの捩れ防止が保証される。
【００３０】
フロントケース、リアケースは、両者にそれぞれ設けられた前後に延びるキーとキー溝との案内係合により回り止め装着されている。構造が簡単であり、加工や装着が容易となる。
【００３１】
本発明のコネクタアセンブリは、以下の技術手段を採用する。先端をプラグ端とするコアユニットと、コアユニットの外部を覆う防護ケースと、を含むプラグコネクタ、及び、レセプタクルコネクタを含むコネクタアセンブリにおいて、コアユニットは、前後方向に案内装着されるフロントケースとリアケースとを含み、リアケースには、光ケーブルが挿通される挿通構造が設けられ、前記リアケースは、防護ケースを後ろ止まりし、フロントケースの先端には、プラグ単体が設けられ、フロントケースとリアケースとの間には、両者の前後方向の離間限位置を規制するためのストッパ構造が設けられている。
【００３２】
前記リアケースとフロントケースとの間及び／又はリアケースとプラグ単体との間にバネが押圧されて設けられている。リアケースとフロントケースとの間で弾性支持が実現される。
【００３３】
前記挿通構造は、リアケースに設けられた挿通孔である。ケーブルの防護作用を奏する。
【００３４】
前記リアケースは、フロントケースに案内挿通される。前記ストッパ構造は、フロントケースの内側壁に設けられた内フランジと、リアケースの外周面に設けられ、内フランジと前後方向に係止する外ボスと、を含む。両者の案内装着を保証すると同時に、リアケースとフロントケースとの離脱を防止する。
【００３５】
前記フロントケースは、上下両部分が互いに係合して形成され、又は一体構造で合体されて形成されている。バネ、プラグ単体及びリアケースの装着が容易となる。
【００３６】
前記フロントケースは、下側の支持台と上側のカバープレートとを含む。前記支持台には、バネが挿通される挿通溝が設けられている。構造が簡単であり、装着が容易となる。
【００３７】
前記リアケースとフロントケースとの案内合わせ面は、円弧面である。前記リアケースは、フロントケース内で周方向に遊動可能である。フロントケースに対してリアケースを周方向に遊動させることができ、プラグとレセプタクルとの差し込み過程において、プラグとレセプタクルとのロック時に光ケーブルを小幅で回動させることができ、プラグコネクタの取付条件を満たすことができる。
【００３８】
前記リアケースには、カバープレートを逃がすための逃がし面が設けられている。カバープレートの下板面と逃がし面との間に遊動隙間を有する。フロントケースに対するリアケースの周方向の遊動を確保しつつ、リアケースの遊動の幅をカバープレートの下板面で規制して、光コアが過度に捩れて内部光路が破壊されることを防止できる。
【００３９】
前記カバープレートには、プラグ単体のロック片を下方に押圧してプラグ単体のロック解除を行うロック解除片が設けられている。ロック解除が容易であり、構造が簡単である。
【００４０】
前記プラグ単体は、２個以上ある。前記バネの内部は、各プラグ単体のコアを共通に通す挿通路を構成している。全体の安定性が優れ、構造がよりコンパクトである。
【００４１】
前記プラグ単体は、ＬＣプラグ、ＳＣプラグ又はＭＴＰプラグ又は光プラグモジュールである。汎用性が増す。
【００４２】
フロントケース、リアケースは、回り止めして装着されている。ケーブルの捩れ防止が保証される。
【００４３】
フロントケース、リアケースは、両者にそれぞれ設けられた前後に延びるキーとキー溝との案内係合により回り止め装着されている。構造が簡単であり、加工や装着が容易となる。
【発明の効果】
【００４４】
本発明に係るプラグコネクタは、従来技術に比べて、リアケースとフロントケースとを案内遊動に装着し、フロントケースに対してリアケースを前後に遊動させることにより、プラグ単体の挿着後に防護ケースとレセプタクルケースとの嵌合を継続して操作する際に、防護ケースの押圧によってリアケースが前方に一定の遊動空間を有することを確保し、レセプタクルケース内の取付公差の違いを満足することができ、構造が比較的簡単で、プラグ単体が強く押圧されて破損することが避けられる。
【図面の簡単な説明】
【００４５】
【図１】本発明のコアユニットの実施形態１の構造を示す概略図である。
【図２】図１のコアユニットからカバープレートを取り外した構造を示す概略図である。
【図３】図２におけるコアユニットの延在方向に沿った縦断面図である。
【図４】図２におけるコアユニットの延在方向に沿った横断面図である。
【図５】本発明のコアユニットの実施形態２の構造を示す概略図である。
【図６】本発明のコアユニットの実施形態３の構造を示す概略図である。
【発明を実施するための形態】
【００４６】
以下、図面を通じて本発明の実施形態をさらに説明する。
【００４７】
（本発明のコアユニットの実施形態１）
図１〜図４に示すように、当該コアユニットは、前後方向に案内装着されているフロントケースとリアケース２とを含む。フロントケースの先端には、２つのＬＣ型のプラグ単体３が固定され、リアケース２には、光ケーブルを挿通するための挿通孔２１が設けられている。もちろん、他の実施形態では、挿通孔に代えてケーブルを挿通する装着溝をリアケースに設けてもよい。プラグ単体３の内部には、コンタクト３１が固定されている。上記の光ケーブルを挿通孔２１内に固定した後、内部の光コアが前方に延びてプラグ本体３のケース内に入り、かつコンタクト３１に接続して光路導通を実現する。プラグ単体３内のコンタクト３１とケースとの間には、コンタクト遊動バネ３２が押圧されて設けられている。コンタクト遊動バネ３２の機能として、プラグとレセプタクルとの差し込み時に、プラグ単体３のコンタクト３１とレセプタクル上のアダプタコンタクト３１との間の安定した当接が得られ、両者間の接触不安定や非当接が防止される。
【００４８】
上記のプラグ単体３とリアケース２との間には、プラグ遊動バネ５が押圧されて設けられている。プラグ遊動バネ５は、フロントケースに挿通され、その先端がプラグ単体３の後端に押圧される。リアケース２の前端には、前後に延びるバネ収容孔が設けられている。プラグ遊動バネ５の後端は、バネ収容孔に突入してリアケース２とプラグ単体３との前後方向の相対的な遊動装着が実現される。フロントケースとリアケース２との間には、フロントケースとリアケース２との前後方向の離間限界位置を規制するためのストッパ構造が設けられている。本実施形態では、リアケース２がフロントケースに案内挿通され、ストッパ構造は、フロントケースの後端に設けられた内フランジ１１と、リアケース２の外周面に設けられ、内フランジ１１と前後に係止する外ボス２２と、を含む。これにより、プラグ遊動バネ５の押圧によってリアケース２がフロントケースの後側に保持され、かつフロントケースから後方へ離間しないことを保証する。
【００４９】
フロントケースは、Ｕ字状の支持台１を含む。支持台１のＵ字溝は、前後方向に延び、バネを挿通するための挿通溝を構成するとともに、リアケース２は、Ｕ字溝内の後側に挿着され、プラグ単体３は、Ｕ字溝内の前側に固定される。Ｕ字溝の上端部には、カバープレート４が係合される。具体的には、支持台１の左右の２つのアームには、横方向に延びる同方向の係止溝が設けられている。これに対応して、カバープレート４の左右両側には、係止溝内に係止されるツバが設けられている。ツバが係止溝に係合することによって、カバープレート４が支持台１の上端に係止され、プラグ浮動バネ５を囲い込む。
【００５０】
リアケース２は、上記の外ボス２２を支持台１の内側壁に相対的に摺動させることにより案内装着を実現するとともに、フロントケースとリアケース２との案内接触面を円弧面とすることにより、フロントケースに対してリアケース２を回動させることができ、プラグコネクタとレセプタクルコネクタとの差し込み過程において、プラグコネクタとレセプタクルコネクタとのロック時に光ケーブルが周方向に小幅で遊動することを保証し、プラグコネクタの取付条件に対応することができる。また、リアケース２の前端周面には、上述したカバープレート４の取付位置を逃がすための逃げ面２３が形成され、かつ逃げ面２３とカバープレート４の下板面との間には、一定の遊動隙間を有する。よって、フロントケースに対するリアケース２の回動を確保しつつ、リアケース２の周方向の遊動幅をカバープレート４の下板面によって規制し、光コアが過度に捩れて内部光路が破壊されることを防止することができる。
【００５１】
一方、コアユニットを対応するレセプタクルに接続する際のケーブルの耐捻回性を保証するために、本実施形態では、フロントケースとリアケースとは、相対的な回り止め係合を実現する。すなわち、フロントケースの底部内側壁にキー溝を設け、リアケースの底部外側壁にキーを設け、キーとキー溝との差し込みによりフロントケースとリアケースとの相対的な回り止め係合を実現している。もちろん、他の実施形態では、フロントケースの内寸をリアケースの外寸に合わせた多角形構造としてもよく、両者を相対的に回り止め係合させることも可能である。
【００５２】
上記のプラグ単体３のケースの上面には、プラグ単体３をレセプタクルの差し込み孔にロックすることのできるロック片３３が設けられている。ロック片３３の後端を上方に反った自由端とする。これに対応してカバープレート４の上板面にロック解除片４１を設ける。ロック解除片４１の前端を上方に反った自由端とし、かつロック解除片４１の自由端をロック片３３の自由端より上方まで延ばす。ロック解除時にロック解除片４１を下方に押し下げ、さらにロック片３３を押し下げて下方に折り曲げることにより、プラグ単体３のロック解除を実現する。
【００５３】
プラグ遊動バネ５で囲まれる中間室を、各プラグ単体３の光コアが共通に挿通可能である。すなわち、プラグ遊動バネ５の前端が両プラグ単体３の後端に同時に押し当てられ、プラグ単体３の後側の光コアをその内部に囲い込むことにより、リアケース２の案内遊動の安定性を確保する。
【００５４】
（本発明のプラグの実施形態２）
実施形態１と異なる点は、フロントケースとリアケース２との間にバネ２５を押圧して設けることができ、図５に示すように、リアケース２の遊動実装も可能となる。
【００５５】
（本発明のプラグの実施形態３）
図６に示すように、リアケース２にフロントケースを挿通して両者の相対的案内を実現し、リアケース２の内側壁に設けた内フランジ１１とフロントケースの外周に設けた外ボス２２とでストッパ構造を実現した点が第１実施形態と異なる。
【００５６】
他の実施形態では、フロントケースは、一体構造で合体されて形成され、内フランジに対して弾性的逆刺構造をリアケースの周面に設けることによって、リアケースをフロントケースに強く装着させる。プラグ単体は、ＳＣプラグでもよく、ＭＴＰプラグ等の他のプラグコネクタに適用されるプラグ構造又は光プラグモジュールでもよい。プラグ単体は、１つだけでもよく、実際の需要に応じて適宜増設することもできる。遊動バネは、コアに外挿されず、光コアの外部に直接設けられてもよい。他の実施形態では、フロントケースとリアケースとの間に遊動バネを設けずに、フロントケースとリアケースとを直接案内装着してもよく、リアケースをフロントケースに対して一定の遊動空間を有するものとすることもできる。
【００５７】
本発明に係るプラグコネクタは、コアユニットと、コアユニットの外部を覆う防護ケースと、を含む。当該コアユニットの構造形式は、上述したコアユニットの構造形式に一致し、詳細な展開は省略する。
【００５８】
本発明に係るコネクタアセンブリは、プラグコネクタとレセプタクルコネクタとを含む。プラグコネクタは、コアユニットと、コアユニットの外部を覆う防護ケースと、を含む。当該コアユニットの構造形式は、上述したコアユニットの構造形式に一致し、詳細な展開は省略する。
【００５９】
（付記）
（付記１）
先端をプラグ端とするコアユニットにおいて、
前後方向に案内装着されるフロントケースとリアケースとを含み、
リアケースには、光ケーブルが挿通される挿通構造が設けられ、
フロントケースの先端には、プラグ単体が設けられ、
フロントケースとリアケースとの間には、両者の前後方向の離間限位置を規制するためのストッパ構造が設けられている、
ことを特徴とする先端をプラグ端とするコアユニット。
【００６０】
（付記２）
前記リアケースとフロントケースとの間及び／又はリアケースとプラグ単体との間にバネが押圧されて設けられている、
ことを特徴とする付記１に記載のコアユニット。
【００６１】
（付記３）
前記挿通構造は、リアケースに設けられた挿通孔である、
ことを特徴とする付記２に記載のコアユニット。
【００６２】
（付記４）
前記リアケースは、フロントケースに案内挿通され、
前記ストッパ構造は、フロントケースの内側壁に設けられた内フランジと、リアケースの外周面に設けられ、内フランジと前後方向に係止する外ボスと、を含む、
ことを特徴とする付記１〜３のいずれか１つに記載のコアユニット。
【００６３】
（付記５）
前記フロントケースは、上下両部分が互いに係合して形成され、又は一体構造で合体されて形成されている、
ことを特徴とする付記４に記載のコアユニット。
【００６４】
（付記６）
前記フロントケースは、下側の支持台と上側のカバープレートとを含み、
前記支持台には、バネが挿通される挿通溝が設けられている、
ことを特徴とする付記５に記載のコアユニット。
【００６５】
（付記７）
前記リアケースとフロントケースとの案内合わせ面は、円弧面であり、
前記リアケースは、フロントケース内で周方向に遊動可能である、
ことを特徴とする付記６に記載のコアユニット。
【００６６】
（付記８）
前記リアケースには、カバープレートを逃がすための逃がし面が設けられ、
カバープレートの下板面と逃がし面との間に遊動隙間を有する、
ことを特徴とする付記７に記載のコアユニット。
【００６７】
（付記９）
前記カバープレートには、プラグ単体のロック片を下方に押圧してプラグ単体のロック解除を行うロック解除片が設けられている、
ことを特徴とする付記７に記載のコアユニット。
【００６８】
（付記１０）
前記プラグ単体は、２個以上あり、
前記バネの内部は、各プラグ単体のコアを共通に通す挿通路を構成している、
ことを特徴とする付記２〜３、５〜９のいずれか１つに記載のコアユニット。
【００６９】
（付記１１）
前記プラグ単体は、ＬＣプラグ、ＳＣプラグ又はＭＴＰプラグ又は光プラグモジュールである、
ことを特徴とする付記１〜３、５〜９のいずれか１つに記載のコアユニット。
【００７０】
（付記１２）
フロントケース、リアケースは、回り止めして装着されている、
ことを特徴とする付記１〜３、５〜９のいずれか１つに記載のコアユニット。
【００７１】
（付記１３）
フロントケース、リアケースは、両者にそれぞれ設けられた前後に延びるキーとキー溝との案内係合により回り止め装着されている、
ことを特徴とする付記１２に記載のコアユニット。
【００７２】
（付記１４）
先端をプラグ端とするコアユニットと、コアユニットの外部を覆う防護ケースと、を含むプラグコネクタにおいて、
コアユニットは、前後方向に案内装着されるフロントケースとリアケースとを含み、
リアケースには、光ケーブルが挿通される挿通構造が設けられ、
前記リアケースは、防護ケースを後ろ止まりし、
フロントケースの先端には、プラグ単体が設けられ、
フロントケースとリアケースとの間には、両者の前後方向の離間限位置を規制するためのストッパ構造が設けられている、
ことを特徴とするプラグコネクタ。
【００７３】
（付記１５）
前記リアケースとフロントケースとの間及び／又はリアケースとプラグ単体との間にバネが押圧されて設けられている、
ことを特徴とする付記１４に記載のプラグコネクタ。
【００７４】
（付記１６）
前記挿通構造は、リアケースに設けられた挿通孔である、
ことを特徴とする付記１５に記載のプラグコネクタ。
【００７５】
（付記１７）
前記リアケースは、フロントケースに案内挿通され、
前記ストッパ構造は、フロントケースの内側壁に設けられた内フランジと、リアケースの外周面に設けられ、内フランジと前後方向に係止する外ボスと、を含む、
ことを特徴とする付記１４〜１６のいずれか１つに記載のプラグコネクタ。
【００７６】
（付記１８）
前記フロントケースは、上下両部分が互いに係合して形成され、又は一体構造で合体されて形成されている、
ことを特徴とする付記１７に記載のプラグコネクタ。
【００７７】
（付記１９）
前記フロントケースは、下側の支持台と上側のカバープレートとを含み、
前記支持台には、バネが挿通される挿通溝が設けられている、
ことを特徴とする付記１８に記載のプラグコネクタ。
【００７８】
（付記２０）
前記リアケースとフロントケースとの案内合わせ面は、円弧面であり、
前記リアケースは、フロントケース内で周方向に遊動可能である、
ことを特徴とする付記１９に記載のプラグコネクタ。
【００７９】
（付記２１）
前記リアケースには、カバープレートを逃がすための逃がし面が設けられ、
カバープレートの下板面と逃がし面との間に遊動隙間を有する、
ことを特徴とする付記２０に記載のプラグコネクタ。
【００８０】
（付記２２）
前記カバープレートには、プラグ単体のロック片を下方に押圧してプラグ単体のロック解除を行うロック解除片が設けられている、
ことを特徴とする付記２０に記載のプラグコネクタ。
【００８１】
（付記２３）
前記プラグ単体は、２個以上あり、
前記バネの内部は、各プラグ単体のコアを共通に通す挿通路を構成している、
ことを特徴とする付記１５〜１６、１８〜２２のいずれか１つに記載のプラグコネクタ。
【００８２】
（付記２４）
前記プラグ単体は、ＬＣプラグ、ＳＣプラグ又はＭＴＰプラグ又は光プラグモジュールである、
ことを特徴とする付記１４〜１６、１８〜２２のいずれか１つに記載のプラグコネクタ。
【００８３】
（付記２５）
フロントケース、リアケースは、回り止めして装着されている、
ことを特徴とする付記１４〜１６、１８〜２２のいずれか１つに記載のプラグコネクタ。
【００８４】
（付記２６）
フロントケース、リアケースは、両者にそれぞれ設けられた前後に延びるキーとキー溝との案内係合により回り止め装着されている、
ことを特徴とする付記２５に記載のプラグコネクタ。
【００８５】
（付記２７）
先端をプラグ端とするコアユニットとコアユニットの外部を覆う防護ケースとを含むプラグコネクタと、
レセプタクルコネクタと、を含むコネクタアセンブリにおいて、
コアユニットは、前後方向に案内装着されるフロントケースとリアケースとを含み、
リアケースには、光ケーブルが挿通される挿通構造が設けられ、
前記リアケースは、防護ケースを後ろ止まりし、
フロントケースの先端には、プラグ単体が設けられ、
フロントケースとリアケースとの間には、両者の前後方向の離間限位置を規制するためのストッパ構造が設けられている、
ことを特徴とするコネクタアセンブリ。
【００８６】
（付記２８）
前記リアケースとフロントケースとの間及び／又はリアケースとプラグ単体との間にバネが押圧されて設けられている、
ことを特徴とする付記２７に記載のコネクタアセンブリ。
【００８７】
（付記２９）
前記挿通構造は、リアケースに設けられた挿通孔である、
ことを特徴とする付記２８に記載のコネクタアセンブリ。
【００８８】
（付記３０）
前記リアケースは、フロントケースに案内挿通され、
前記ストッパ構造は、フロントケースの内側壁に設けられた内フランジと、リアケースの外周面に設けられ、内フランジと前後方向に係止する外ボスと、を含む、
ことを特徴とする付記２７〜２９のいずれか１つに記載のコネクタアセンブリ。
【００８９】
（付記３１）
前記フロントケースは、上下両部分が互いに係合して形成され、又は一体構造で合体されて形成されている、
ことを特徴とする付記３０に記載のコネクタアセンブリ。
【００９０】
（付記３２）
前記フロントケースは、下側の支持台と上側のカバープレートとを含み、
前記支持台には、バネが挿通される挿通溝が設けられている、
ことを特徴とする付記３１に記載のコネクタアセンブリ。
【００９１】
（付記３３）
前記リアケースとフロントケースとの案内合わせ面は、円弧面であり、
前記リアケースは、フロントケース内で周方向に遊動可能である、
ことを特徴とする付記３２に記載のコネクタアセンブリ。
【００９２】
（付記３４）
前記リアケースには、カバープレートを逃がすための逃がし面が設けられ、
カバープレートの下板面と逃がし面との間に遊動隙間を有する、
ことを特徴とする付記３３に記載のコネクタアセンブリ。
【００９３】
（付記３５）
前記カバープレートには、プラグ単体のロック片を下方に押圧してプラグ単体のロック解除を行うロック解除片が設けられている、
ことを特徴とする付記３３に記載のコネクタアセンブリ。
【００９４】
（付記３６）
前記プラグ単体は、２個以上あり、
前記バネの内部は、各プラグ単体のコアを共通に通す挿通路を構成している、
ことを特徴とする付記２８〜２９、３１〜３５のいずれか１つに記載のコネクタアセンブリ。
【００９５】
（付記３７）
前記プラグ単体は、ＬＣプラグ、ＳＣプラグ又はＭＴＰプラグ又は光プラグモジュールである、
ことを特徴とする付記２７〜２９、３１〜３５のいずれか１つに記載のコネクタアセンブリ。
【００９６】
（付記３８）
フロントケース、リアケースは、回り止めして装着されている、
ことを特徴とする付記２７〜２９、３１〜３５のいずれか１つに記載のコネクタアセンブリ。
【００９７】
（付記３９）
フロントケース、リアケースは、両者にそれぞれ設けられた前後に延びるキーとキー溝との案内係合により回り止め装着されている、
ことを特徴とする付記３８に記載のコネクタアセンブリ。
【図１】
2020531919.tif 000003
【図２】
2020531919.tif 000004
【図３】
2020531919.tif 000005
【図４】
2020531919.tif 000006
【図５】
2020531919.tif 000007
【図６】
2020531919.tif 000008
【手続補正書】
【提出日】令和2年3月5日(2020.3.5)
【手続補正１】
【補正対象書類名】明細書
【補正対象項目名】００４７
【補正方法】変更
【補正の内容】
【００４７】
（本発明のコアユニットの実施形態１）
図１〜図４に示すように、当該コアユニットは、前後方向に案内装着されているフロントケースとリアケース２とを含む。フロントケースの先端には、２つのＬＣ型のプラグ単体３が固定され、リアケース２には、光ケーブルを挿通するための挿通孔２１が設けられている。もちろん、他の実施形態では、挿通孔に代えてケーブルを挿通する装着溝をリアケースに設けてもよい。プラグ単体３の内部には、コンタクト３１が固定されている。上記の光ケーブルを挿通孔２１内に固定した後、内部の光コアが前方に延びてプラグ本体３のケース内に入り、かつコンタクト３１に接続して光路導通を実現する。プラグ単体３内のコンタクト３１とケースとの間には、コンタクト遊動バネ３２が押圧されて設けられている。コンタクト遊動バネ３２の機能として、プラグとレセプタクルとの差し込み時に、プラグ単体３のコンタクト３１とレセプタクル上のアダプタコンタクトとの間の安定した当接が得られ、両者間の接触不安定や非当接が防止される。
【手続補正２】
【補正対象書類名】明細書
【補正対象項目名】００５５
【補正方法】変更
【補正の内容】
【００５５】
（本発明のプラグの実施形態３）
図６に示すように、リアケース２にフロントケースを挿通して両者の相対的案内を実現し、リアケース２の内側壁に設けた内フランジとフロントケースの外周に設けた外ボスとでストッパ構造を実現した点が第１実施形態と異なる。
【手続補正３】
【補正対象書類名】特許請求の範囲
【補正対象項目名】全文
【補正方法】変更
【補正の内容】
【特許請求の範囲】
【請求項１】
先端をプラグ端とするコアユニットにおいて、
前後方向に案内装着されるフロントケースとリアケースとを含み、
リアケースには、光ケーブルが挿通される挿通構造が設けられ、
フロントケースの先端には、プラグ単体が設けられ、
フロントケースとリアケースとの間には、両者の前後方向の離間限位置を規制するためのストッパ構造が設けられている、
ことを特徴とする先端をプラグ端とするコアユニット。
【請求項２】
前記リアケースとフロントケースとの間及び／又はリアケースとプラグ単体との間にバネが押圧されて設けられている、
ことを特徴とする請求項１に記載のコアユニット。
【請求項３】
前記リアケースは、フロントケースに案内挿通され、
前記ストッパ構造は、フロントケースの内側壁に設けられた内フランジと、リアケースの外周面に設けられ、内フランジと前後方向に係止する外ボスと、を含む、
ことを特徴とする請求項２に記載のコアユニット。
【請求項４】
前記フロントケースは、上下両部分が互いに係合して形成され、又は一体構造で合体されて形成されている、
ことを特徴とする請求項３に記載のコアユニット。
【請求項５】
前記フロントケースは、下側の支持台と上側のカバープレートとを含み、
前記支持台には、バネが挿通される挿通溝が設けられている、
ことを特徴とする請求項４に記載のコアユニット。
【請求項６】
前記リアケースとフロントケースとの案内合わせ面は、円弧面であり、
前記リアケースは、フロントケース内で周方向に遊動可能であり、
前記リアケースには、カバープレートを逃がすための逃がし面が設けられ、
カバープレートの下板面と逃がし面との間に遊動隙間を有する、
ことを特徴とする請求項５に記載のコアユニット。
【請求項７】
前記プラグ単体は、２個以上あり、
前記バネの内部は、各プラグ単体のコアを共通に通す挿通路を構成している、
ことを特徴とする請求項６に記載のコアユニット。
【請求項８】
フロントケース、リアケースは、回り止めして装着されている、
ことを特徴とする請求項５に記載のコアユニット。
【請求項９】
請求項１〜８のいずれか１項に記載の先端をプラグ端とするコアユニットと、コアユニットの外部を覆う防護ケースと、を含む、
ことを特徴とするプラグコネクタ。
【請求項１０】
請求項１〜８のいずれか１項に記載の先端をプラグ端とするコアユニットとコアユニットの外部を覆う防護ケースとを含むプラグコネクタと、
レセプタクルコネクタと、を含む、
ことを特徴とするコネクタアセンブリ。
【国際調査報告】
2020531919.tif 000009
2020531919.tif 000010
2020531919.tif 000011
2020531919.tif 000012